(57)【要約】【課題】  全周波数において適応性、安定性にすぐれたデジタル強制励振器付全周波数電気治療器を提供する。【解決手段】  デジタル強制励振器３に繋がれ電源を発生してデジタル強制励振器３に入力可能な電源供給器１と、デジタル強制励振器３に繋がれプログラムを載せて信号を出力してデジタル強制励振器３を制御可能な中央処理装置２と、トランジスタＱ１〜Ｑ４の入力側が中央処理装置２に繋がれ中央処理装置２によって開閉状態が制御され、トランジスタＱ１〜Ｑ４の回路は電源供給器１及びてい昇変圧器４の一次コイルに繋がれ、てい昇変圧器４の二次コイルは電極シート５に繋がれ、トランジスタのコレクタ、エミッタ間にダイオードＤ１〜Ｄ４及びコンデンサＣ１〜Ｃ４を並列するデジタル強制励振器３と、てい昇変圧器４と、電極シート５とを備える。【選択図】    図１
0003108173.tif 000002
【実用新案登録請求の範囲】
【請求項１】
電源供給器、中央処理装置、デジタル強制励振器、てい昇変圧器及び電極シートを備え、
前記電源供給器はデジタル強制励振器に繋がれ、電源を発生してデジタル強制励振器に入力可能であり、
前記中央処理装置はデジタル強制励振器に繋がれ、プログラムを載せて信号を出力することにより、デジタル強制励振器を動作させるように制御可能であり、
前記デジタル強制励振器は二組のトランジスタの組合せがあり、前記トランジスタの入力側において中央処理装置に繋がれ、中央処理装置によってトランジスタの開閉状態が制御され、
前記トランジスタの回路は電源供給器及びてい昇変圧器の一次コイルに繋がれ、前記てい昇変圧器の二次コイルは電極シートに繋がれ、トランジスタのコレクタとエミッタとの間において、ダイオード及びコンデンサが並列に接続され、前記ダイオードにより、てい昇変圧器の一次コイルが生じた逆方向の起電力でトランジスタの破壊が防止可能であり、前記コンデンサにより、トランジスタ、ダイオードの開閉動作ノイズが低下され、高周波数のノイズがバイパスされることを特徴とするデジタル強制励振器付全周波数電気治療器。
【請求項２】
前記中央処理装置はインタフェース回路に繋がれ、前記インタフェース回路がコンピュータに接続可能であることを特徴とする請求項１に記載のデジタル強制励振器付全周波数電気治療器。
【請求項３】
前記インタフェース回路は非揮発性の読み取り専用記憶装置のある通信インタフェースであることを特徴とする請求項１に記載のデジタル強制励振器付全周波数電気治療器。
【請求項４】
前記電源供給器にはデジタル強制励振器が設けてあり、前記デジタル強制励振器の入力側が中央処理装置に繋がれ、出力側が整流変圧器に繋がれ前記電極シートを制御するデジタル強制励振器のパワー側に接続され、前記デジタル強制励振器は中央処理装置のプログラムにより、出力パワーが制御可能であることを特徴とする請求項１に記載のデジタル強制励振器付全周波数電気治療器。
【請求項５】
前記デジタル強制励振器は電流検出器に接続され、前記電流検出器は中央処理装置に接続されデジタル強制励振器の電流の異常が検出されると、中央処理装置から適当なフィードバック修正、又は動作を停止させるように制御可能であることを特徴とする請求項１に記載のデジタル強制励振器付全周波数電気治療器。
【請求項６】
電源供給器、中央処理装置、アナログパワーアンプ、てい昇変圧器及び電極シートを備え、
前記電源供給器はアナログパワーアンプに接続され、電力パワーを生じてアナログパワーアンプに入力可能であり、
前記中央処理装置は電源供給器、アナログパワーアンプに接続され、プログラムを載せて信号を出力して電源供給器の中にあるデジタル強制励振器の動作を制御可能であるとともに、パルス信号をアナログパワーアンプまで出力可能であり、
前記電源供給器はデジタル強制励振器及び整流変圧器を有し、前記デジタル強制励振器は二組のトランジスタからなり、前記トランジスタの入力側がエンコーダに繋がれ中央処理装置に接続されて中央処理装置によってトランジスタの開閉状態が制御され、
トランジスタ回路は電源供給器の整流変圧器の一次コイルに接続されて、前記整流変圧器の出力側にアナログパワーアンプが接続され、前記トランジスタのコレクタとエミッタとの間において、ダイオード及びコンデンサが並列に接続され、前記ダイオードにより、整流変圧器の一次コイルが生じた逆方向の起電力でトランジスタの破壊が防止可能であり、前記コンデンサにより、トランジスタ及びダイオードの開閉動作ノイズの低下が可能であり、高周波数のノイズがバイパスされることを特徴とするデジタル強制励振器付全周波数電気治療器。
【請求項７】
信号処理装置に電圧検出器を設け電圧の異常が検出されると、中央処理装置から適当なフィードバック修正、又は動作を停止させるように制御可能であることを特徴とする請求項６に記載のデジタル強制励振器付全周波数電気治療器。
【考案の詳細な説明】
【技術分野】
【０００１】
本考案は、デジタル強制励振器付全周波数電気治療器に関する。
【背景技術】
【０００２】
従来知られている電気治療器は低周波（１ＫＨＺ以下）、中周波（１ＫＨＺ〜５ＫＨＺ）、高周波（５ＫＨＺ以上）などの型式があり、電気治療器において導電できる電極シートを設けることにより、人体の皮膚にくっつけるようにして電気治療器から低、中、高周波の電圧が出力され、人体に対して刺激を与え、電気治療の機能を生じるものである。
【０００３】
図面８は従来知られている電気治療器の回路の一つであり、主にアナログ電源供給器１０’、ＡＭ信号発生器２０’、ＦＭ信号発生器３０’、アナログミキサ４０’、アナログパワーアンプ５０’、てい昇変圧器６０’、電極シート７０’からなる。アナログ電源供給器１０’はアナログパワーアンプ５０’に入力電力を提供し、ＡＭ信号発生器２０’またはＦＭ信号発生器３０’の入力信号がアナログミキサ４０’まで入力されると中周波振動電圧が発生してからアナログパワーアンプ５０’を通しててい昇変圧器６０’まで入力され、電圧が上昇するため、電極シート７０’から増幅されたＡＭまたはＦＭの中周波が生じ、人体に対して刺激を与える電気治療の効果を収める。
【０００４】
又、そのアナログパワーアンプ５０’は、主としてＯＰアンプ及び二つのパワートランジスタからなるアンプ回路の組合せによって入力された電圧を増幅し、そのトランジスタのコレクタの出力側はてい昇変圧器６０’の一次コイルに接続される。しかしそのリニアアナログパワーアンプ５０’においては、既に存在しているトランジスタの温度、トランジスタの動作箇所の設定、ＶＣＥ電圧、漏電電流などの原因によるパワーロスがより大きく、その回路は高周波においてトランジスタの寄生キャパシタンスから生じた高周波の寄生発振によってパワーロスの増大及び周波数ひずみなど不安定なことをもたらすために、高周波の使用には不適になる。
【０００５】
更にそのトランジスタのコレクタはてい昇変圧器６０’の一次コイルに接続しているが、そのてい昇変圧器６０’の一次コイルは誘導リアクタンスがあるため、その一次コイルから電圧転換の時に生じた逆方向の起電力は直接に反対方向にトランジスタへ流入し、トランジスタの損害をもたらしやすい。
【考案の開示】
【考案が解決しようとする課題】
【０００６】
本考案の目的は、周波数の適用性及び安定性が高く、作業が容易なデジタル強制励振器付全周波数電気治療器を提供することにある。
【課題を解決するための手段】
【０００７】
本考案によると、電源供給器、中央処理装置、デジタル強制励振器、てい昇変圧器、電極シート、インタフェース回路及び電流検出器を組み合わせている。前記電源供給器は中央処理装置に接続され、パワーをデジタル強制励振器まで出力し、前記中央処理装置はそれぞれ電源供給器、デジタル強制励振器に接続され、プログラムを載せて出力信号によって電源供給器及びデジタル強制励振器を動作させるように制御できる。前記デジタル強制励振器は主として二組のトランジスタを組み合わせてデジタル開閉の励起作用になり、そのトランジスタのＢ極の入力側において中央処理装置に繋がれ、中央処理装置によってトランジスタの開閉状態が制御される。トランジスタ回路は電源供給器及びてい昇変圧器の一次コイルに接続され、それぞれのトランジスタのコレクタとエミッタとの間にダイオード及びコンデンサが並列に接続されている。ダイオードによってトランジスタのコレクタからエミッタまでの電圧が制限でき、てい昇変圧器の一次コイルから生じた逆方向の起電力によってトランジスタが破壊することが防止される。また、コンデンサによってトランジスタ、ダイオードの開閉作用ノイズが低下できる。さらに、容量リアクタンスはトランジスタ及びてい昇変圧器の一次コイル及びトランジスタ回路の潜在容量より低い。そのため、高周波ノイズのバイパスを提供することができる。さらに、デジタル強制励振器はプログラムのデジタル化により、トランジスタの導通又は不導通を制御できるため、てい昇変圧器の一次コイルの振動電圧信号を制御できると同時に、ダイオード及びコンデンサによって電路の高周波ノイズの影響も減少できる。そして、零電圧開閉の効率を持つため、出力パワーが高められる一方、低・中・高周波数との全周波数の出力が可能になり、又てい昇変圧器の二次コイルは電極シートに接続し、一次コイルの電圧を上昇させることにより、電極シートの適当な電圧が発生できる。インタフェース回路は非揮発性の読み取り専用記憶装置を有する通信インタフェースであり、コンピュータとの接続によって中央処理装置内にプログラムを載せたり修正したりすることができる。以上のような組合せにより、ロスの低下、出力効率の向上を兼ね備えているため、よりよい全周波数の適用性、安定性のあり、プログラム搭載が便利になる作業効果を持つ。
【０００８】
又、本考案によると、電源供給器においてデジタル強制励振器を設置している。デジタル強制励振器の入力端が中央処理装置に接続され、出力端が整流変圧器に繋がれ、前述の電極シートを制御するデジタル強制励振器のパワー入力端に接続される。デジタル強制励振器は中央処理装置のプログラムによって出力信号を制御して周波数変更との機能を持つことができ、アナログ方式より出力パワーの向上、ロスの低下を図り、全体の電気治療器の効果が一層高められる。
【０００９】
さらに、本考案によると、電源供給器、中央処理装置、アナログパワーアンプ、てい昇変圧器、電極シートを組合せている。電源供給器においてデジタル強制励振器を設置し、その電源供給器の出力側はアナログパワーアンプに繋がれ、てい昇変圧器及び電極シートに接続される。そのため、デジタル強制励振器はアナログ方式より信号パワーの効率が向上でき、本考案はデジタル強制励振器とアナログパワーアンプとの組み合せにより、パワーが高められる。
【考案を実施するための最良の形態】
【００１０】
図１に示すように、本考案の実施例では、電源供給器１、中央処理装置２、デジタル強制励振器３、てい昇変圧器４、電極シート５、インタフェース回路６、電流検出器７を組み合わせている。電源供給器１にＵ１０１ＤＡコンバータがあり、そのＵ１０１ＤＡコンバータの出力側はアナログ励振器１１、Ｑ４３トランジスタアンプに繋がることによってデジタル強制励振器３に接続され、且中央処理装置２に接続されている。中央処理装置２はＵ１０１ＤＡコンバータの信号が制御でき、電源供給器のＱ４３トランジスタのエミッタから電力パワーを出力してデジタル強制励振器３の使用に提供する。
【００１１】
中央処理装置２はそれぞれ電源供給器１、デジタル強制励振器３に接続し、且プログラムを搭載して信号を出力することによって、電源供給器１、デジタル強制ドライブ３を動作させるように制御できる。
【００１２】
デジタル強制励振器３は主として二組のＰＮＰ、ＮＰＮ、Ｑ１、Ｑ４及びＱ２、Ｑ３のトランジスタを組み合わせたデジタル開閉励起作用を有している。ＰＮＰトランジスタＱ１、Ｑ３のＢ極がトランジスタＱ５、Ｑ６に繋がり、ＰＮＰ 、ＮＰＮトランジスタＱ１〜Ｑ４のＢ極入力側が中央処理装置２に接続され、中央処理装置２によってトランジスタＱ１〜Ｑ４の開閉状態が制御される。ＰＮＰ 、ＮＰＮトランジスタＱ１〜Ｑ４回路は電源供給器１及びてい昇変圧器４の一次コイルに接続され、それぞれのＰＮＰ 、ＮＰＮトランジスタＱ１〜Ｑ４のコレクタとエミッタとの間にダイオードＤ１〜Ｄ４及びコンデンサＣ１〜Ｃ４が並列に接続している。
【００１３】
てい昇変圧器４の二次コイルは電極シート５に接続され、電極シート５が適当な電圧を発生するように一次コイルの電圧を上昇させることができる。
インタフェース回路６はＵ７、ＥＥＰＲＯＭ非揮発性読み取り専用記憶装置及びＵ１０５、ＲＳ４８５通信インタフェースを有し、コンピュータと連結して中央処理装置２内にあるプログラムを修正したり載せたりすることができる。
【００１４】
電流検出器７はデジタル強制励振器３及び中央処理装置２に接続され、デジタル強制励振器３の電流が異常になる時、中央処理装置２によって適当なフィードバック修正が提供されたり停止動作を制御されたりすることで安定性のある機能を持つようになる。
【００１５】
図２に示すように本実施例では、正半周状態にある場合、中央処理装置２はトランジスタＱ１、Ｑ４に対応してＨｉ信号を出力でき、一組のＰＮＰ 、ＮＰＮ、Ｑ１〜Ｑ４及びＱ５のトランジスタを導通させ（図面の中にある太線は電流の流れ方向である）、てい昇変圧器４の一次コイルが正半周電圧を生じる。又中央処理装置２はトランジスタＱ２、Ｑ３に対応してＬｏ信号を出力してトランジスタＱ２、Ｑ３、Ｑ６が中止にさせる。
【００１６】
又図３に示すように本実施例では、負半周状態にある場合、中央処理装置２がトランジスタＱ２、Ｑ３及びＱ６に対応してＨｉ信号を出力し、もう一組のＰＮＰ 、ＮＰＮトランジスタＱ２、Ｑ３を導通させ（図の中にある太線は電流の流れ方向である）、てい昇変圧器４の一次コイルが負半周電圧を生じるようにさせる。そして、その時、中央処理装置２はトランジスタＱ１、Ｑ４に対応してＬｏ信号を出力してトランジスタＱ１、Ｑ４、Ｑ５が中止になるようにさせるため、プログラムでトランジスタＱ１〜Ｑ４の開閉状態を制御することにより、正負の振動電圧の出力を制御することができる。
【００１７】
又本実施例におけるトランジスタＱ１〜Ｑ４のコレクタとエミッタとの間にダイオードＤ１〜Ｄ４を並列に接続している。そのため、トランジスタＱ１〜Ｑ４のコレクタからエミッタまでの電圧を−０．６Ｖ〜入力電源電圧＋０．６Ｖまで制限でき、てい昇変圧器４の一次コイルが入力電圧により、逆方向の起電力を生じるとそのダイオードＤ１〜Ｄ４が逆方向の起電力にバイパスを提供する。これによってトランジスタＱ１〜Ｑ４の破壊を防止でき、コンデンサＣ１〜Ｃ４はトランジスタＱ１〜Ｑ４のエミッタとコレクタ及びダイオードＤ１〜Ｄ４と並列になり、トランジスタＱ１〜Ｑ４、ダイオードＤ１〜Ｄ４の開閉作用ノイズが低下できる。さらに、その容量リアクタンスはトランジスタＱ１〜Ｑ４、ダイオードＤ１〜Ｄ４、てい昇変圧器４の一次コイルの潜在分布容量リアクタンスより低い。そのため、高周波数ノイズがコンデンサＣ１〜Ｃ４からバイパスされ、トランジスタＱ１〜Ｑ４は高周波数ノイズによる温度上昇が防止できる。そのため、本実施例では中央処理装置２のプラグラムによってデジタル強制励振器３のトランジスタＱ１〜Ｑ４に開閉動作を行わせることができ、ダイオードＤ１〜Ｄ４、コンデンサＣ１〜Ｃ４と合わせて零電圧の開閉作用に達させ、そして電気治療器の効率が向上でき、高周波数及び中、低周波数との全部周波数の使用に適すようになる。
【００１８】
図１及び図４に示すように本実施例では、電源供給器１がＡＭモードにある場合、トランジスタＱ４３のエミッタから出力された波形をＡＭ振幅変調波にさせる。そのＡＭ波形はデジタル強制励振器３の励起出力を入力して電極シート５がＡＭモードの正負振幅変調電圧波形を生じて人体に対してＡＭモードの刺激電気を出すようになる。
また、図１及び図５に示すように本実施例では、ＦＭモードにある場合、電源供給器１がトランジスタＱ４３のエミッタで出力した波形は水平波形になり、デジタル強制励振器３の励起出力を入力して電極シート５が正負ＦＭ振幅変調電圧波形を生じて人体に対してＦＭモードの刺激電気を出すようになる。これにより、本実施例におけるデジタル強制励振器３は電源供給器１の出力電力と合わせてより効率のある励起出力によって使用者にＡＭモード、ＦＭモードでの電気治療が提供できる。
【００１９】
本実施例のインタフェース回路６によって電気治療器がコンピュータに接続できるため、コンピュータを通してプログラムを中央処理装置２に載せてそれぞれ違った使用状態に適用できる。また、ネットによって遠方においても中央処理装置２内にあるプログラムが修正できるため、医療人員が遠方にいる使用者に対して電気治療器のプログラムを設定することもできる。
【００２０】
図６に示すように、本考案の他の実施例では、電源供給器８において前述のデジタル強制励振器３の回路と同じようなデジタル強制励振器８１を設けている。デジタル強制励振器８１の入力端はＵ１０１エンコーダに接続されて中央処理装置２に繋がれ、出力端が整流変圧器８２に接続されて前述の電極シート５のデジタル強制励振器３の電源端に繋がれている。デジタル強制励振器８１は周波数変換またはＰＷＭ機能があり、中央処理装置２のプログラムにより、電圧を出力してデジタル式電源供給器になることができ、伝統のアナログ方式より出力パワーが高められ、ロスが低下でき、全体の電気治療器の効果が向上できる。電源供給器８に電圧検出器８３を設けて電圧が異常になるのを検出したら適当なフィードバックを提供したり、動作を停止させたりすることができるため、よりよい動作の安定性が獲得できる。
【００２１】
図７に示されたように、本考案のさらに他の実施例では、電源供給器９１、中央処理装置９２、アナログパワーアンプ９３、てい昇変圧器９４、電極シート９５、インタフェース回路９６、電流検出器９７を組み合わせている。電源供給器９１にデジタル強制励振器９１１を設けている。デジタル強制励振器９１１の入力端が中央処理装置９２に繋がれ、出力端が整流変圧器９１２に繋がれてアナログパワーアンプ９３に接続されている。デジタル強制励振器９１１は前述のデジタル強制励振器３と同様に、二組のＰＮＰ、ＮＰＮ、Ｑ１１、Ｑ１４及びＱ１２、Ｑ１３トランジスタがあってデジタル開閉励起作用を形成している。ＰＮＰトランジスタＱ１１、Ｑ１３のＢ極がトランジスタＱ１５、Ｑ１６に繋がれ、ＰＮＰ、ＮＰＮトランジスタＱ１１〜Ｑ１４のＢ極の入力側がＵ１０１のエンコーダに繋がれて中央処理装置９２に接続され、中央処理装置９２によってトランジスタＱ１１〜Ｑ１４の開閉状態が制御される。ＰＮＰ、ＮＰＮトランジスタＱ１１〜Ｑ１４回路が整流変圧器９１２の変圧器Ｔ１２の一次コイルに繋がれ、それぞれのＰＮＰ、ＮＰＮトランジスタＱ１１〜Ｑ１４のコレクタとエミッタとの間にダイオードＤ１１〜Ｄ１４及びコンデンサＣ１１〜Ｃ１４が並列に接続されている。電源供給器９１には電圧検出器９１３を設置し、電圧が異常になる時、中央処理装置９２により、適当なフィードバックを提供したり、動作を停止させるように制御したりすることができる。
【００２２】
中央処理装置９２はそれぞれ電源供給器９１、アナログパワーアンプ９３に繋がれている。プログラムを載せることにより、電源供給器９１の動作を制御することができ、パルス信号を出力してアナログパワーアンプ９３の動作を制御することもできる。
【００２３】
各実施例において前述した回路は中央処理装置９２のプログラムによってデジタル強制励振器９１１のトランジスタＱ１１〜Ｑ１４の開閉動作が制御でき、ダイオードＤ１１〜Ｄ１４、コンデンサＣ１１〜Ｃ１４との合わせにより、アナログパワーアンプ９３に入力した電源効率を高めて、電源供給器９１の中に設けてあるデジタル強制励振器９１１とアナログパワーアンプ９３との合わせによって伝統方式より一層効率を向上できる。
【図面の簡単な説明】
【００２４】
【図１】本考案の実施例によるデジタル強制励振器付全周波数電気治療器の回路を示す概略図である。
【図２】本考案の実施例によるデジタル強制励振器付全周波数電気治療器のデジタル強制励振器の正半周動作及び出力波形を示す概略図である。
【図３】本考案の実施例によるデジタル強制励振器付全周波数電気治療器のデジタル強制励振器の負半周動作及び出力波形のを示す概略図である
【図４】本考案の実施例によるデジタル強制励振器付全周波数電気治療器のＡＭモードでの出力波形を示す模式図である。
【図５】本考案の実施例によるデジタル強制励振器付全周波数電気治療器のＦＭモードでの出力波形を示す模式図である。
【図６】本考案の他の実施例によるデジタル強制励振器付全周波数電気治療器の回路を示す概略図である。
【図７】本考案のさらに他の実施例によるデジタル強制励振器付全周波数電気治療器の回路を示す概略図である。
【図８】従来の回路を示す概略図である。
【符号の説明】
【００２５】
１電源供給器、１１  アナログ励振器、２  中央処理装置、３  デジタル強制励振器、４  てい昇変圧器、５  電極シート、６  インタフェース回路、７  電流検出器、８  電源供給器、８１  デジタル強制励振器、８２  整流変圧器、８３  電圧検出器、９１  電源供給器、９１１  デジタル強制励振器、９１２  整流変圧器、９１３  電圧検出器、９２  中央処理装置、９３アナログパワーアンプ、９４  てい昇変圧器、９５  電極シート、９６  インタフェース回路、９７  電流検出器
【図１】
0003108173.tif 000003
【図２】
0003108173.tif 000004
【図３】
0003108173.tif 000005
【図４】
0003108173.tif 000006
【図５】
0003108173.tif 000007
【図６】
0003108173.tif 000008
【図７】
0003108173.tif 000009
【図８】
0003108173.tif 000010